(57)【要約】【課題】フレキシブルプリント板を保持部材から抜脱させる場合、ライトプロテクト端子の保持部材からの抜脱を防止する。【解決手段】コネクタ１は、一端側からメモリカードを挿着し、他端側からフレキシブルプリント板８０を挿着する保持部材１０を有する。保持部材１０の左右方向の一方側端部にはスイッチ端子が挿着されている。スイッチ端子は保持部材内側からカード挿着検知端子２４、共通端子２９及びライトプロテクト検知端子３５を有してなり、これらの後端側はフレキシブルプリント板８０の端部に設けられたプリント側端子と電気的に接続される接続部２４ａ、２９ａ、３５ａを有する。これらの接続部はチューニングフォーク状に形成されてプリント側端子を挟持するように形成され、接続部の上部に係止突起部２６ａ，２８ａ，３６ａが形成され、これらに係合する係合孔部５６、５７、５８が保持部材１０に形成される。【選択図】　図３
2004079347.tif 000002
【特許請求の範囲】
【請求項１】
一端側に開口する第１開口部及び他端側に開口する第２開口部を連通させて前後に延びる空間部を有する保持部材と、前記空間部に配設されたコネクタ側端子と、前記保持部材に前記コネクタ側端子の左右方向に直線状に並んで取り付けられたライトプロテクト端子とを有し、
前記保持部材は、端部に電子部品側端子を有した電子部品を前記第１開口部から前記空間部に挿抜自在に保持可能であるとともに、端部に平面状に配設されたプリント板側端子を有したフレキシブルプリント板を平面状のままで前記第２開口部から前記空間部に着脱自在に挿着可能に構成され、
前記コネクタ側端子は、前記電子部品及び前記フレキシブルプリント板を前記保持部材に挿着させた状態で、前記電子部品側端子と前記プリント板側端子とを電気的に接続させるように構成され、
前記ライトプロテクト端子は、前記電子部品が前記保持部材に挿着保持された状態で一端側が前記電子部品の側部に前後移動可能に設けられたライトプロテクトスイッチの移動位置に応じて押圧作動され、前記フレキシブルプリント板が前記保持部材に挿着された状態で他端側が上下に所定の間隙を有してチューニングフォーク状に形成された一対の突出片部の前記間隙内で前記プリント板側端子を挟持するように構成されてなるコネクタにおいて、
前記ライトプロテクト端子及びこれを保持する前記保持部材のいずれか一方に係止凹部を形成し、いずれか他方に前記係止凹部に係合される係止突起を形成し、
前記ライトプロテクト端子が前記保持部材に取り付けられると、前記係止凹部に前記係止突起が係合して前記ライトプロテクト端子が前記保持部材に係止されることを特徴とするコネクタ。
【請求項２】
前記ライトプロテクト端子は、
前記保持部材の他端側から一端側へ延びる共通端子と、
前記電子部品が前記保持部材に挿着保持されると前記電子部品に押圧されて前記共通端子に当接接触して前記電子部品が前記保持部材に挿着保持されたことを検知する電子部品挿着検知端子と、
前記電子部品が前記保持部材に挿着保持された状態で、前記電子部品の前記ライトプロテクトスイッチの移動位置に応じて前記共通端子への押圧を許容させ及び解除させて、前記共通端子と接触状態又は非接触状態にされるライトプロテクト検知端子と
を有して構成されていることを特徴とする請求項１に記載のコネクタ。
【発明の詳細な説明】
【０００１】
【発明の属する技術分野】
本発明は、コネクタに関し、さらに詳細には、端部にカード側端子を有したメモリカードと端部にプリント板側端子を有したフレキシブルプリント板とを電気的に接続させるコネクタに関する。
【０００２】
【従来の技術】
最近の電子機器には小型のメモリカードが搭載可能に構成されているものがある。このような電子機器にはメモリカードを収容保持するコネクタが搭載され、コネクタは、前後に貫通する空間部を有してなる保持部材と、空間部の前端側の開口部からカード側端子を有したメモリカードを挿着し、空間部の後端側の開口部から平面状に配設されたプリント板側端子を有したフレキシブルプリント板を挿着した状態で、前端側において電子部品側端子と電気的に接続し、後端側においてプリント板側端子と電気的に接続するコネクタ側端子とを有して構成されているものがある。
【０００３】
ここで、コネクタに装着されるメモリカードにはメモリカードへの情報の書き込みを許容し及び禁止するライトプロテクトスイッチが設けられているものがある。このライトプロテクトスイッチは前後に延びるメモリカードの側部に形成された凹部上を前後移動可能に取り付けられた移動部材を有して構成されているのが一般的であり、移動部材はメモリカードに情報を書き込むことが可能な書き込み可能位置（例えば、凹部が開放される位置）とメモリカードに情報を書き込むことを禁止する書き込み禁止位置（例えば、凹部が覆われる位置）との間を移動可能に構成されている。
【０００４】
このようなメモリカードが書き込み可能状態にあるか否かを検知するため、コネクタには移動部材の位置を検知するライトプロテクト端子が配設されているものがある。ライトプロテクト端子は保持部材にコネクタ側端子の左右方向の一方側に並べて取り付けられている。このライトプロテクト端子は、メモリカードが保持部材に挿着保持された状態で前端側がメモリカードの移動部材の移動位置に応じて押圧作動され、後端側が上下に所定の間隙を有してチューニングフォーク状に形成された一対の突出片部を有し、フレキシブルプリント板が保持部材に挿着された状態でプリント板側端子を一対の突出片部間で挟持してプリント板側端子をコネクタ側端子に電気的に接続させるように構成されている。
【０００５】
【発明が解決しようとする課題】
ここで、ライトプロテクト端子の保持部材への挿着方法が保持部材に形成された挿着穴にライトプロテクト端子を圧入する方法である場合において、保持部材に挿着されたライトプロテクト端子の一対の突出片部間にフレキシブルプリント板が挟持された状態からフレキシブルプリント板を引き抜くときに、圧入による保持部材に対するライトプロテクト端子の保持力が一対の突出片部によるフレキシブルプリント板の挟持力よりも小さいときには、ライトプロテクト端子が保持部材から抜脱されるという問題が生じる。
【０００６】
本発明はこのような問題に鑑みてなされたものであり、フレキシブルプリント板をライトプロテクト端子から引き抜く場合、ライトプロテクト端子が保持部材から抜脱されることのないコネクタを提供することを目的とする。
【０００７】
【課題を解決するための手段】
前記課題を解決するために本発明のコネクタは、一端側に開口する第１開口部（例えば、実施形態における前開口部１３ａ）及び他端側に開口する第２開口部（例えば、実施形態におけるプリント開口部１７ａ）を連通させて前後に延びる空間部（例えば、実施形態における凹部１３）を有する保持部材と、空間部に配設されたコネクタ側端子（例えば、実施形態におけるコンタクト２０）と、保持部材にコネクタ側端子の左右方向に直線状に並んで取り付けられたライトプロテクト端子（例えば、実施形態におけるスイッチ端子２３）とを有し、保持部材は、端部に電子部品側端子（例えば、実施形態におけるカード側端子７１）を有した電子部品（例えば、実施形態におけるメモリカード７０）を第１開口部から空間部に挿抜自在に保持可能であるとともに、端部に平面状に配設されたプリント板側端子を有したフレキシブルプリント板を平面状のままで第２開口部から空間部に着脱自在に挿着可能に構成され、コネクタ側端子は、電子部品及びフレキシブルプリント板を保持部材に挿着させた状態で、電子部品側端子とプリント板側端子とを電気的に接続させるように構成され、ライトプロテクト端子は、電子部品が保持部材に挿着保持された状態で一端側が電子部品の側部に前後移動可能に設けられたライトプロテクトスイッチの移動位置に応じて押圧作動され、フレキシブルプリント板が保持部材に挿着された状態で他端側が上下に所定の間隙を有してチューニングフォーク状に形成された一対の突出片部（例えば、実施形態における第１突出片部２６、２８、３６、第２突出片部２７、３１、３７）の間隙内でプリント板側端子を挟持するように構成されてなるコネクタにおいて、ライトプロテクト端子及びこれを保持する保持部材のいずれか一方に係止凹部（例えば、実施形態における係合孔部５６、５７、５８）を形成し、いずれか他方に係止凹部に係合される係止突起（例えば、実施形態における係止突起部２６ａ、２８ａ、３６ａ）を形成し、ライトプロテクト端子が保持部材に取り付けられると、係止凹部に係止突起が係合してライトプロテクト端子が保持部材に係止される。
【０００８】
上記構成のコネクタによれば、ライトプロテクト端子及びこれを保持する保持部材のいずれか一方に係止凹部を形成し、いずれか他方に係止凹部に係合される係止突起を形成するだけで、ライトプロテクト端子が保持部材に取り付けられると、係止凹部に係止突起が係合してライトプロテクト端子が保持部材に係止される。このため、一対の突出片部によりプリント板側端子が挟持された状態で、フレキシブルプリント板を引き抜こうとしても、ライトプロテクト端子は保持部材に係止されたままに維持されて、フレキシブルプリント板のみを一対の突出片部から引き抜くことができる。
【０００９】
上記構成のコネクタにおいて、ライトプロテクト端子は、保持部材の他端側から一端側へ延びる共通端子と、電子部品が保持部材に挿着保持されると電子部品に押圧されて共通端子に当接接触して電子部品が保持部材に挿着保持されたことを検知する電子部品挿着検知端子（例えば、実施形態におけるカード挿着検知端子２４）と、電子部品が保持部材に挿着保持された状態で、電子部品のライトプロテクトスイッチの移動位置に応じて共通端子への押圧を許容させ及び解除させて、共通端子と接触状態又は非接触状態にされるライトプロテクト検知端子とを有して構成されてもよい。
【００１０】
上記構成のコネクタによれば、共通端子の両側に電子部品挿着検知端子及びライトプロテクト検知端子を配設することで、電子部品が保持部材に挿着保持されたか否か及び電子部品のライトプロテクトの状態を検知することができる。
【００１１】
【発明の実施の形態】
以下、本発明の好ましい実施の形態を図１から図９を使用して説明する。本実施の形態はメモリカードを挿抜自在に保持し、且つフレキシブルプリント板を着脱自在に挿着可能なコネクタの態様を示す。なお、図１に示すように、説明の便宜上、矢印が示す方向を前後、左右及び上下方向として以下説明する。先ず、本発明に係わるコネクタを説明する前に、これに挿着されるメモリカードとフレキシブルプリント板について説明する。
【００１２】
メモリカード７０は、図１に示すように、厚さが薄く切手大の大きさを有して平板状であり、その先端下面に左右方向に所定の間隙を有して並設された複数のカード側端子７１を有している。カード側端子７１はメモリカード７０内に内蔵された図示しないメモリ機構部に電気的に接続されて情報の読み書きが可能に構成されている。メモリカード７０の左側先端部の縁部には斜め後側に傾斜する傾斜部７３が形成され、この縁部の下面には矩形状の段部（図示せず）が形成されている。
【００１３】
メモリカード７０の右側面の中央部にはライトプロテクトスイッチ７５が設けられている。このライトプロテクトスイッチ７５は、図８（ｂ）に示すように、前後に延びるスライド凹部７６と、スライド凹部７６取り付けられて前後にスライド移動自在な移動部材７８とを有して構成されている。スライド凹部７６の底部の中間部には前後に延びるスライド突起７７が形成され、このスライド突起部７７に沿って移動部材７８が前後にスライド移動可能に取り付けられている。ライトプロテクトスイッチ７５は、移動部材７８がコネクタ１の後端側（図８の左側）に移動すると、前述したメモリ機構部への情報の書き込みを規制し、移動部材７８がコネクタ１の前端側（図８の右側）にスライド移動すると、メモリ機構部への情報の書き込みを許容するように構成されている。スライド突起部７７の頂部の位置はメモリカード７０の右側面よりも内側に所定距離を有した位置に形成され、このスライド突出部７７の頂部の位置は、後述する図９（ｂ）に示すライトプロテクト検知端子３５に何ら外力が作用していない状態、即ち、ライトプロテクト検知端子３５が左右方向に揺動していない状態において、ライトプロテクト検知端子３５の当接部３５ｄがスライド突出部７７の頂部に接触しない位置に形成されている。移動部材７８がスライド突出部７７に取り付けられた状態において、移動部材７８の外側面はメモリカード７０の外側面（上面、下面、左側面）と略同一面上に位置するように形成されている。
【００１４】
次に、フレキシブルプリント板について説明する。図１に示すように、フレキシブルプリント板８０は、可撓材料製の基板８１の下に複数の導体８２を並べた状態で印刷し、それらの下部に絶縁物を積層し、フレキシブルプリント板８０の前端部の上部に変形し難い変形防止部材８４を接着して構成されている。フレキシブルプリント板８０の前端部には絶縁物が取り除かれて複数の導体８２のそれぞれの先端部に繋がった複数のプリント板側端子８５が左右方向に露出した状態で並んで形成されている。複数のプリント板側端子８５の左側に配設されたプリント板側端子８５のピッチは右側端部に配設されたプリント板側端子８５のそれよりも広いピッチに配設されている。
【００１５】
次に、このように構成されたフレキシブルプリント板８０及びメモリカード７０を挿着保持する本発明に係わるコネクタ１について説明する。コネクタ１は、図２（ａ）に示すように、平面視において略矩形状であり、図１に示すメモリカード７０を前端側から挿抜自在に保持可能であるとともに、図１に示すフレキシブルプリント板８０を平面状のままで後端側から着脱自在に挿着可能な保持部材１０と、保持部材１０の上面を覆うカバー部材４０とを有して構成されている。なお、図２（ａ）では、説明の都合上、カバー部材４０の天板部は省略して記載されている。
【００１６】
保持部材１０は絶縁材料製であり、保持部材１０の左右方向の中間部に前後に延びる凹部１３を有し、この凹部１３は前端から後端近傍位置まで延び、凹部１３の前端には前開口部１３ａが開口し、凹部１３の下面中央部には平面視において矩形状の底開口部１３ｂが開口している。凹部１３の上下寸法は図１に示すメモリカード７０の厚さ寸法と略同じであり、凹部１３の左右方向の幅寸法も図１に示すメモリカード７０の左右方向の幅寸法と略同じである。このため、凹部１３内に図１に示すメモリカード７０が挿入されると、メモリカード７０の上面が保持部材１０の上面と略同一平面上に位置してメモリカード７０が凹部１３内に収容保持されることになる。
【００１７】
このような保持部材１０の後端部には左右方向に所定の間隙を有して配置された複数のコンタクト２０が取り付けられている。コンタクト２０は、図３（ａ）に示すように、水平方向に延びる基部２０ａと、この基部２０ａの前端部から斜め上方へ延びる傾斜アーム部２０ｂと、傾斜アーム部２０ｂの先端部に形成されて上方へ突出した接触部２０ｃと、基部２０ａの後端側中央部から上方へ屈曲して斜め前方へ延びた突出片部２０ｄとからなり、例えば、導電性金属材料の薄板を曲げ加工して一体成形される。
【００１８】
コンタクト２０、図２（ｃ）に示す保持部材１０の後端側に左右方向に並んだ状態で複数形成されたコンタクト挿入孔１５の下部に形成されたコンタクト保持溝１６に傾斜アーム２０ｂがコンタクト２０の前端側に向けられた状態で挿入され、基部２０ａがコンタクト保持溝１６に圧入されて保持部材１０に取り付けられている。図２（ｃ）に示すコンタクト保持溝１６に圧入保持されたコンタクト２０の傾斜アーム部２０ｂは、無負荷状態においてその先端部が凹部１３の下部まで延び、また、コンタクト２０の突出片部２０ｄの頂部はコンタクト保持溝１６よりも上方のコンタクト挿入孔１５に延びている。
【００１９】
図２（ｃ）に示すように、左右方向に隣接する上下に伸びるコンタクト挿入孔１５の中間部には図１に示すフレキシブルプリント板８０の先端部を着脱可能に挿着させるプリント板挿入穴１７が左右方向に延びるとともに前端側に延びた状態で形成されている。プリント板挿入穴１７は保持部材１０の後端側端部で開口してプリント開口部１７ａを形成し、プリント板挿入穴１７の右側端部は保持部材１０の右端面の内側近傍位置まで延びている。このため、プリント板挿入穴１７はコンタクト挿入孔１７と交差していることになる。この交差するプリント板挿入穴１７内に、前述した図３（ａ）に示すコンタクト２０の突出片部２０ｄが突入した状態で配設されている。その結果、図３（ａ）に示すように、プリント板側端子を下向きにしたフレキシブルプリント板８０をプリント板挿入穴１７に挿入すれば、プリント板側カード端子をこれに対応する突出片部２０ｄに当接接触させることができる。
【００２０】
このように保持部材１０に取り付けられた複数のコンタクト２０は、図１に示すように、左右方向のピッチがフレキシブルプリント板８０のプリント板側カード端子８５のピッチ及びメモリカード７０のカード側端子７１のピッチと略同一ピッチになるように配設されている。このため、メモリカード７０のカード側端子７１を下方に向けた状態でメモリカード７０を凹部１３に挿着すれば、複数のカード側端子７１がそれぞれに対応するコンタクト２０に接触し、フレキシブルプリント板８０のプリント板側端子８５を下方に向けた状態でフレキシブルプリント板８０を保持部材１０に挿着すれば、複数のプリント板側端子８５がそれぞれに対応するコンタクト２０に接触する。
【００２１】
さて、このように配設されたコンタクト２０を有した保持部材１０の左側端部には、図２（ａ）に示すように、凹部３に並んで前後に延びる本体側段部１１が形成されている。この本体側段部１１の上面にハートカム機構の一部を構成するカム溝５１が形成されている。このカム溝５１は、図１に示すカード側端子７１とコンタクト２０とが押圧接触した状態でメモリカード７０を保持部材１０に収容させる接触状態位置、及びメモリカード７０を保持部材１０に対して挿抜可能な挿抜可能位置に位置決め保持させるように形成されている。
【００２２】
このカム溝５１上には前後にスライド移動可能なスライダ６０が設置されている。スライダ６０は図１に示すメモリカード７０の段部がスライダ６０の先端側端部に突き当てられた状態でメモリカード７０を保持し、内臓されたハートカム機構によりカム溝５１に沿って移動されてスライダ６０に保持されたメモリカード７０を前述した接触状態位置及び挿抜可能位置に移動させるように構成されている。更に詳細には、スライダ６０は、図１に示すメモリカード７０が凹部１３内に挿入されてスライダ６０に当接保持された状態になると、メモリカード７０の押圧操作とともにコネクタ後端側へスライド移動してメモリカード７０を接触状態位置に移動させる。また、接触状態位置に移動されたメモリカード７０が更に押圧操作されると、スライダ６０はメモリカード７０を挿抜可能位置に移動させる。
【００２３】
次に、保持部材１０に図１に示すメモリカード７０が挿着されたか否か及びメモリカード７０のライトプロテクトスイッチの状態を検知するスイッチ端子２３について説明する。スイッチ端子２３は、図２（ａ）に示すように、凹部１３外側の保持部材１０の右側端部にコンタクト２０の左右方向に直線状に並んで前後に延びた状態で挿着され、内側から外側に順にカード挿着検知端子２４、共通端子２９及びライトプロテクト検知端子３５を有して構成されている。
【００２４】
スイッチ端子２３のうち最も内側に配設されたカード挿着検知端子２４は、図４に示すように、板状で前後（図４紙面の左右方向）に延びる接続部２４ａと、この接続部２４ａの前端下側から水平方向前側に延びる第１水平アーム部２４ｂと、第１水平アーム部２４ｂの先端部から上方（図６紙面の上側）へ延びて接続部２４ａ側へ延びる第２水平アーム部２４ｃと、第２水平アーム部２４ｃの先端部から前後に延びるカード挿着検知端子２４の左側に屈曲して突出した当接部２４ｄとからなり、例えば、導電性金属材料の薄板を曲げ加工して成形される。接続部２４ａは上下に間隙２５を有して対向配置されて水平方向に延びる第１突出片部２６及び第２突出片部２７を有してチューニングフォーク状に形成され、第１突出片部２６は第２突出片部２７の先端位置よりも後側に突出している。第１突出片部２６の中間下面及び第２突出片部２７の先端上面には対向配置された一対の係止突起２８がそれぞれに形成されている。第１突出片部２６の先端側上部には上方へ突出する係止突起部２６ａが形成されている。この係止突起部２６ａの作動の詳細については後述する。
【００２５】
第２水平アーム部２４ｃは基端部を支点として片持ち梁状に支持され、基端部を揺動中心として左右方向に弾性変形による揺動が可能である。カード挿着検知端子２４は図２（ｃ）に示す保持部材１０の右側後端部に左右方向に並んだ状態で前後に延びて形成された３つの端子挿入穴５３、５４、５５のうち最も内側の端子挿入穴５３に挿着されている。ここで、端子挿入穴５３を形成する保持部材１０の後端側の上部には、図７（ａ）に示すように、端子挿入穴５３に連通する係合孔部５６が形成されている。この係合孔部５６の作動については後述する。
【００２６】
カード挿着検知端子２４は第２水平アーム部２４ｃ側を端子挿入穴５３側に向けて端子挿入穴５３に挿入され、接続部２４ａの前側端部が端子挿入穴５３に圧入されてカード挿着検知端子２４が保持部材１０に取り付けられる。これと同時に、図３（ｂ）に示すように、第１突出片部２６に形成された係止突起部２６ａが係合孔部５６と係合して、カード挿着検知端子２４が保持部材１０に係止される。
【００２７】
図２（ａ）に示すように、保持部材１０に取り付けられたカード挿着検知端子２４の当接部２４ｄは、これに外力が作用していない状態では凹部１３の右側面内側に形成された図示しない開口部から突出している。このため、図８（ａ）に示すように、メモリカード７０が凹部３内に挿入されて、メモリカード７０の先端部が凹部３の後端側に移動すると、メモリカード７０の右側先端縁部が当接部２１ｄをコネクタ右側方向へ押圧し、図８（ｂ）に示す第２水平アーム部２４ｃが保持部材１０の右側に揺動して当接部２４ｄが右側に移動することになる。なお、カード挿着検知端子２４の作動については後述する。
【００２８】
このような状態で保持部材１０に取り付けられたカード挿着検知端子２４の右側には、共通端子２９が配設されている。共通端子２９は、図５に示すように、板状で前後方向に延びる接続部２９ａと、この接続部２９ａの前端（図５紙面の右側）の下部から水平方向前側に延びる第１水平アーム部２９ｂと、第１水平アーム部２９ｂの先端部から接続部２９ａの前端近傍位置まで水平方向に延びる第２水平アーム部２９ｃと、第１水平アーム部２９ｂの先端部から前側へ延びる第３水平アーム部２９ｄとを有してなる。第２水平アーム部２９ｃの先端部には前後方向に延びる共通端子２５の左右方向左側に突出する当接部２９ｅが形成され、第３水平アーム部２９ｃの先端部には前後方向に延びる共通端子２９の左右方向左側に突出する当接部２９ｆが形成されている。共通端子２９は、例えば、導電性金属材料の薄板を曲げ加工して成形される。
【００２９】
接続部２９ａは前述した図４に示すカード挿着検知端子２４の接続部２４ａと同様の形状（チューニングホーク状）であるので、接続部２９ａは接続部２４ａに準じた符号を附してその説明を省略する。なお、接続部２９ａの第１突出片部を２８で示し、第２突出片部を２９で示し、一対の係止突起を３２で示し、係止突起部を２８ａで示す。ここで、図７（ｂ）に示すように、共通端子２９図７（ｂ）に示すように、が挿着される端子挿入穴５４の先端側の上方の保持部材１０には、係止突起部２８ａに係合する係合孔部５７が形成されている。共通端子２９は、図２（ｃ）に示す３つの端子挿入穴５３、５４、５５のうちの真ん中の端子挿入穴５４に挿着され、第３水平アーム部２９ｄが端子挿入穴５４側に向けられた状態で端子挿入穴５４に挿入され、接続部２９ａの前側端部が端子挿入穴５４に圧入されて共通端子２９が保持部材１０に取り付けられる。これと同時に、図３（ｃ）に示すように、係止突起部２８ａが係合孔部５７と係合して、共通端子２９が保持部材１０に係止される。
【００３０】
端子挿入穴５４に係止された共通端子２９における第２水平アーム部２９ｃ及び第３水平アーム部２９ｄは、図９（ｂ）に示すように、それぞれの基端部において片持ち梁状に支持され、基端部を揺動中心として左右方向に弾性変形して揺動可能である。第２水平アーム部２９ｃと前述したカード挿着検知端子２４の第２水平アーム部２４ｃは、これらが保持部材１０に挿着された状態において左右に隣接した位置に配設されており、カード挿着検知端子２４の当接部２４ｄがコネクタ１の右側（図９の下側）に移動すれば、この当接部２４ｄの右側面が共通端子２９の当接部２９ｅと押圧接触するように配設されている。その結果、図９（ａ）に示すメモリカード７０が凹部１３に収容保持された状態になると、カード挿着検知端子２４と共通端子２９とが接触状態となって、こられの端子が電気的に接続された状態になる。このため、図示しない電子機器にこのコネクタ１を搭載し、カード挿着検知端子２４と共通端子２９とが接触状態にあるときに電気信号を受けるように電子機器を構成することで、電子機器はメモリカード７０がコネクタ１に収容保持されていることを検知することができる。
【００３１】
このように保持部材１０に取り付けられた共通端子２９の右側にはライトプロテクト検知端子３５が挿着されている。ライトプロテクト検知端子３５は、図６に示すように、平板状で前後に延びる接続部３５ａと、この接続部３５ａの前端下部から水平方向前側に延びる第１水平アーム部３５ｂと、第１水平アーム部３５ｂの先端上部から水平方向前側に延びる第２水平アーム部３５ｂと、第２水平アーム部３５ｂの先端部からライトプロテクト検知端子３５の左側に屈曲して後端側に延び、ライトプロテクト検知端子３５の左側に突出するように湾曲して再び後端側に延びる接触アーム部３５ｄとを有してなり、例えば、導電性金属材料の薄板を曲げ加工して成形される。
【００３２】
接続部３５ａは前述した図４に示すカード挿着検知端子２４の接続部２４ａと同様の形状であるので、この接続部３５ａはカード挿着検知端子２４の接続部２４ａに準じた符号を附して説明を省略する。なお、第１突出片部を３６で示し、第２突出片部を３７で示し、一対の係止突起を３８で示し、係止突起部を３６ａで示す。第１水平アーム部３５ｂの中間上部には上方に開口する側面視において矩形状の開口凹部３５ｂ１が形成されている。
【００３３】
図７（ｃ）に示すように、ライトプロテクト検知端子３５が挿着される端子挿入穴５５の上方の保持部材１０には係止突起部３６ａに係合する係合孔部５８が形成されている。ライトプロテクト検知端子３５は、図２（ｃ）に示す３つの端子挿入穴５０のうちの外側の端子挿入穴５５に挿着され、第２水平アーム部３５ｃ側を端子挿入穴５５側に向けて端子挿入穴５５に挿入され、接続部３５ａの前側端部が端子挿入穴５５に圧入されてライトプロテクト検知端子３５が保持部材１０に取り付けられる。これと同時に、図３（ｄ）に示すように、係止突起部３６ａが係合孔部５８と係合して、ライトプロテクト検知端子３５が保持部材１０に係止される。
【００３４】
ライトプロテクト検知端子３５が端子挿入穴５５に挿着された状態において、図９（ｂ）に示すように、第２水平アーム部３５ｃは片持ち梁状に支持されてその基端部を揺動中心として左右方向に弾性変形して揺動可能である。このため、接触アーム部３５ｄにコネクタ右側方向（図９の下側方向）の外力が作用すれば第２水平アーム部３５ｃが左右方向右側に揺動して接触アーム部３５ｄが左右方向右側に移動することになる。なお、接触アーム部３５ｄはこれに何ら外力が作用していない状態では、接触アーム部３５ｄの頂部は凹部１３内に突出した状態となり、且つ接触アーム部３５ｄの先端部と共通端子２９の当接部２９ｆとは左右方向において近接した非接触位置に配置される。
【００３５】
このため、図８（ｂ）に示すように、メモリカード７０が凹部３に収容保持された状態で、ライトプロテクト検知端子３５の接触アーム部３５ｄが移動部材７８に当接して押圧作動された状態になると、第２水平アーム部３５ｃがコネクタ１の右側に揺動して接触アーム部３５ｄが共通端子２９の当接部２９ｆに押圧当接された状態となって、ライトプロテクト検知端子３５が共通端子２９と電気的に接続された状態になる。一方、図９（ｂ）に示すように、メモリカード７０が凹部３に収容保持された状態で、ライトプロテクト検知端子３５の接触アーム部３５ｄが移動部材７８と非接触状態になると、接触アーム部３５ｄと当接部２９ｆとが非接触状態となり、ライトプロテクト検知端子３５と共通端子２９とが電気的に遮断された状態になる。その結果、図示しない電子機器にこのコネクタ１を搭載し、ライトプロテクト検知端子３５と共通端子２９とが接触状態にあるときに電気信号を受け取るように電子機器を構成することで、電子機器はメモリカード７０への情報の書き込み規制がされた状態にあるか否かを検知することができる。
【００３６】
このように構成された保持部材１０の上面には、図２に示すように、前述したカバー部材４０が着脱可能に取り付けられている。カバー部材４０は平面視において矩形状であって保持部材１０の上面を覆う板状の本体部４０ａと、本体部４０ａの左右両端部から下方へ屈曲して延びる側板部４０ｂと、側板部４０ｂの前後の各縁部に左右方向外側へ屈曲して延びる取り付け部４０ｃとを有して構成されている。
【００３７】
このように構成されたコネクタ１によれば、図１に示すように、保持部材１０の前側からカード側端子７１を下方に向けた状態のメモリカード７０を前開口部１３ａを介して凹部１３内に挿入すると、メモリカード７０は凹部３に沿って後側に移動して、メモリカード７０がスライダ６０に当接保持された状態になる。そして、メモリカード７０を更に後側に押圧操作すれば、メモリカード７０はスライダ６０とともに後側に移動し、スライダ６０に内臓されたハートカム機構によってスライダ６０がメモリカード７０を前述した接触状態位置に移動させる。その結果、メモリカード７０とコンタクト２０とを電気的に接続させた状態にすることができる。
【００３８】
また、フレキシブルプリント板８０のプリント板側端子８５を下方へ向けた状態で、フレキシブルプリント板８０の先端部を図２（ｃ）に示す挿入穴部１７に挿入すれば、プリント板側端子８５が対応するコンタクト２０の図３（ａ）に示す突出片部３０ｄと押圧接触して、プリント板側端子８５とコンタクト２０とを電気的に接続させることができる。その結果、コネクタ１の凹部１３にメモリカード７０を挿着し、フレキシブルプリント板８０を挿入穴部１７に挿着することで、コンタクト２０を介してメモリカード７０とフレキシブルプリント板８０とを電気的に接続させることができる。また、プリント板側端子８５のうち右側端部に配設されたプリント板側端子８５はこれに対応するスイッチ端子２３の図３に示す接続部２４ａ、２９ａ、３５ａに挟持された状態となり、フレキシブルプリント板８０とスイッチ端子２３とを電気的に接続させた状態にすることができる。
【００３９】
ここで、フレキシブルプリント板８０が保持部材１０に挿着保持されている状態で、フレキシブルプリント板８０を保持部材１０から抜脱する場合について考慮する。図３（ｂ）、（ｃ）、（ｄ）に示すように、カード挿着検知端子２４、共通端子２９及びライトプロテクト検知端子３５は、これらの端子に形成された係止突起部２６ａ、２８ａ、３６ａが保持部材１０に形成された係合孔部５６、５７、５８のそれぞれに係合しているので、保持部材１０に係止された状態にある。このため、フレキシブルプリント板８０が抜脱されても、図１に示すスイッチ端子２３は保持部材１０に係止されたままの状態が維持される。このため、フレキシブルプリント板８０の抜脱によりスイッチ端子２３が引き抜かれる事態を未然に防止することができる。
【００４０】
なお、前述した実施の形態では、スイッチ端子側に係止突起部２６ａ、２８ａ、３６ａを形成し、保持部材１０に係合孔部５６、５７、５８を形成した場合を示したが、スイッチ端子側に係合凹部を形成し、保持部材側に係止突起部を形成してもよい。また、前述した実施の形態では、フレキシブルプリント板８０をコネクタ１に挿着する例を示したが、これに限るものでなく、ＦＦＣ（フレキシブルフラットケーブル）をコネクタ１に挿着するようにしてもよい。
【００４１】
【発明の効果】
本発明によるコネクタによれば、ライトプロテクト端子及びこれを保持する保持部材のいずれか一方に係止凹部を形成し、いずれか他方に係止凹部に係合される係止突起を形成することで、ライトプロテクト端子を保持部材に取り付けると、係止凹部に係止突起が係合してライトプロテクト端子が保持部材に係止される。このため、一対の突出片部によりプリント板側端子を挟持させた状態で、フレキシブルプリント板を抜脱しても、ライトプロテクト端子は保持部材に係止された状態が一対の状態されて、フレキシブルプリント板のみを保持部材から引き抜くことができる。
【図面の簡単な説明】
【図１】本発明の一実施の形態におけるコネクタの保持部材にメモリカードが挿入された状態の保持部材の平面図を示す。
【図２】本発明の一実施の形態におけるコネクタを示し、同図（ａ）はコネクタの平面図であり、同図（ｂ）はコネクタの正面図であり、同図（ｃ）はコネクタの後側側面図であり、同図（ｄ）はコネクタの前側側面図である。
【図３】本発明の一実施の形態におけるコネクタの断面図を示し、同図（ａ）は図２（ａ）のＩＩａ−ＩＩａ矢視に相当する部分のコネクタの断面図であり、同図（ｂ）は図２（ａ）のＩＩｂ−ＩＩｂ矢視に相当する部分のコネクタの断面図であり、同図（ｃ）は図２（ａ）のＩＩｃ−ＩＩｃ矢視に相当する部分のコネクタの断面図であり、同図（ｄ）は図２（ａ）のＩＩｄ−ＩＩｄ矢視に相当する部分のコネクタの断面図である。
【図４】本発明の一実施の形態におけるカード挿着検知端子の斜視図を示す。
【図５】本発明の一実施の形態における共通端子の斜視図を示す。
【図６】本発明の一実施の形態におけるライトプロテクト検知端子の斜視図を示す。
【図７】本発明の一実施の形態におけるスイッチ端子の取り付け方法を示す保持部材の断面図である。
【図８】本発明の一実施の形態におけるスイッチ端子の作動を説明するための図であり、同図（ａ）はコネクタの平面図であり、同図（ｂ）は同図（ａ）中のＡ矢視に相当する部分の拡大図を示す。
【図９】本発明の一実施の形態におけるスイッチ端子の作動を説明するための図であり、同図（ａ）はコネクタの平面図であり、同図（ｂ）は同図（ａ）中のＢ矢視に相当する部分の拡大図を示す。
【符号の説明】
１　コネクタ
１０　保持部材
１３　凹部（空間部）
１３ａ　前開口部（第１開口部）
１７ａ　プリント開口部（第２開口部）
２０　コンタクト（コネクタ側端子）
２３　スイッチ端子（ライトプロテクト端子）
２４　カード挿着検知端子（電子部品挿着検知手段）
２５　間隙
２６、２８、３６　第１突出片部（突出片部）
２６ａ、２８ａ、３６ａ　係止突起部（係止突起）
２７、３１、３７　第２突出片部（突出片部）
２９　共通端子
３５　ライトプロテクト検知端子
５６、５７、５８　係合孔部（係止凹部）
７０　メモリカード（電子部品）
７１　カード側端子（電子部品側端子）
７５　ライトプロテクトスイッチ
８０　フレキシブルプリント板
８５　プリント板側端子
【図１】
2004079347.tif 000003
【図２】
2004079347.tif 000004
【図３】
2004079347.tif 000005
【図４】
2004079347.tif 000006
【図５】
2004079347.tif 000007
【図６】
2004079347.tif 000008
【図７】
2004079347.tif 000009
【図８】
2004079347.tif 000010
【図９】
2004079347.tif 000011